(57)【要約】  システムは、発電ユニットの吸い込み部又は排出部の内部に設置されるように構成された能動騒音制御（ＡＮＣ）モジュールユニットを含む。ＡＮＣモジュールユニットは、空気吸い込み部又は排出部の内部に適合するために形状付けされたＡＮＣハウジングと、ＡＮＣハウジングの内部に固定されるように構成されたＡＮＣコアと、を含み、ＡＮＣコアは、発電ユニットによって生じる音を検出するように構成されたマイクロフォンと、マイクロフォンからの音響信号及び１組の前もって決められた騒音軽減伝達関数に基づいて騒音消除音を制御するように構成された制御ボードと、第１の騒音消除音を空気吸い込み部又は排出部に送達するように構成された第１のスピーカと、を含む。【選択図】図１
2018502249.tif 000002
【特許請求の範囲】
【請求項１】
発電ユニットの吸い込み部又は排出部の内部に設置されるように構成された能動騒音制御（ＡＮＣ）モジュールユニット（３０）を含むシステムであって、前記ＡＮＣモジュールユニット（３０）は、
前記空気吸い込み部又は排出部の内部に適合するために形状付けされたＡＮＣハウジング（３２）と、
前記ＡＮＣハウジング（３２）の内部に固定されるように構成されたＡＮＣコア（４４）と、を含み、前記ＡＮＣコア（４４）は、
前記発電ユニットによって生じる音を検出するように構成されたマイクロフォン（５２）と、
騒音消除音を前記空気吸い込み部又は排出部に送達するように構成されたスピーカと、
前記マイクロフォン（５２）によって検出される前記音及び１組の前もって決められた騒音軽減伝達関数に基づいて前記騒音消除音を制御するように構成された制御ボード（５０）と、を含む、システム。
【請求項２】
前記制御ボード（５０）は、前記ＡＮＣモジュールユニット（３０）が適合するために形状付けされる場所用の前記伝達関数の中にプログラムされた場所特有の特徴に基づいて前記騒音消除音を制御するように構成される、請求項１記載のシステム。
【請求項３】
前記ＡＮＣモジュールユニット（３０）は、前記ＡＮＣハウジング（３２）の内部で前記ＡＮＣコア（４４）を支持するように構成された導波路を含む、請求項１記載のシステム。
【請求項４】
前記導波路は、前記ＡＮＣモジュールユニット（３０）を通る流れ経路を第１の離散領域と第２の離散領域とに分割して、周波数範囲と前記騒音消除音による音の減衰とを高める、請求項３記載のシステム。
【請求項５】
前記ＡＮＣモジュールユニット（３０）は、前記第２の離散領域内に位置する第２のスピーカを含む、請求項４記載のシステム。
【請求項６】
前記第２のスピーカは、第２の周波数範囲の騒音を消除するために追加の騒音消除音を送達するように構成され、前記第１の周波数範囲は、前記第２の周波数範囲に対して等しいか又は少なくとも部分的に異なっている、請求項５記載のシステム。
【請求項７】
前記ＡＮＣコア（４４）は、受動騒音制御バッフルの内部に統合されて位置すると共に、広帯域の周波数の減衰を提供する結果をもって前記受動騒音制御処理を補充するために設計される、請求項１記載のシステム。
【請求項８】
前記ＡＮＣハウジング（３２）は、三角形、実質上正方形、矩形、六角形、円錐形、円形、円筒形、八角形、又は空気流状態を形状付ける球面幾何学を含む、請求項１記載のシステム。
【請求項９】
前記マイクロフォン（５２）、制御ボード（５０）、及びスピーカは、略５０Ｈｚから略４０００Ｈｚの間の範囲における騒音消除音を送達するように構成される、請求項１記載のシステム。
【請求項１０】
発電ユニットの内部で使用するための吸い込み部又は排出部を含むシステムであって、前記吸い込み部又は排出部は、
複数の能動騒音制御（ＡＮＣ）モジュールユニットを含み、各ＡＮＣモジュールユニット（３０）は、
前記空気吸い込み部又は排出部の内部に適合するために形状付けされたＡＮＣハウジング（３２）と、
前記ＡＮＣハウジング（３２）の内部に固定されるように構成されたＡＮＣコア（４４）と、を含み、前記ＡＮＣコア（４４）は、
前記発電ユニットによって生じる音を検出するように構成されたマイクロフォン（５２）と、
騒音消除音を前記空気吸い込み部又は排出部に送達するように構成されたスピーカと、
複数の入力用の前もって決められた伝達関数を含むと共に、前記複数のＡＮＣモジュールユニットの前記マイクロフォンによって検出される前記音に基づいて前記複数のＡＮＣモジュールユニット（３０）においてＡＮＣモジュールユニット（３０）からの前記騒音消除音を制御するように構成された制御ボード（５０）と、を含む、システム。
【請求項１１】
前記吸い込み部又は排出部は、第１の区画及び第２の区画を含み、前記第１の区画は、前記発電ユニットの第１のセクションに対応すると共に、前記複数のＡＮＣモジュールユニット（３０）の第１のセットを収容するように構成され、前記第２の区画は、前記発電ユニットの第２のセクションに対応すると共に、前記複数のＡＮＣモジュールユニット（３０）の第２のセットを収容するように構成される、請求項１０記載のシステム。
【請求項１２】
前記複数のＡＮＣモジュールユニット（３０）は、直列に配置され、したがって、各ＡＮＣモジュールユニット（３０）は、前記音の前記流れに沿ってそれぞれの騒音消除音を連続的に送達する、請求項１０記載のシステム。
【請求項１３】
前記複数のＡＮＣモジュールユニット（３０）は、並列に配置され、したがって、各ＡＮＣモジュールユニット（３０）は、前記音の前記流れに沿ってそれぞれの騒音消除音を同時に送達する、請求項１０記載のシステム。
【請求項１４】
前記複数のＡＮＣモジュールユニット（３０）のうちの前記ＡＮＣモジュールユニット（３０）の個々は、前記音の特定の周波数範囲を減衰させるように構成される、請求項１０記載のシステム。
【請求項１５】
前記複数のＡＮＣモジュールユニット（３０）のうちの前記ＡＮＣモジュールユニット（３０）の個々は、前記複数のＡＮＣモジュールユニット（３０）のうちの残りのＡＮＣモジュールユニット（３０）からの独特の周波数範囲を減衰させるように構成される、請求項１４記載のシステム。
【請求項１６】
前記複数のＡＮＣモジュールユニット（３０）のうちの第１のＡＮＣモジュールユニット（３０）は、第１の位置に位置決めされ、前記複数のＡＮＣモジュールユニット（３０）のうちの第２のＡＮＣモジュールユニット（３０）は、第２の位置に位置決めされ、前記第１の位置は、前記第２の位置と異なる、請求項１０記載のシステム。
【請求項１７】
発電ユニットの燃焼排出部の内部で使用するための能動騒音制御（ＡＮＣ）モジュールユニット（３０）を含むシステムであって、前記ＡＮＣモジュールユニット（３０）は、
前記発電ユニットの前記燃焼排出部の内部で生じる音を検出するように構成されたマイクロフォン（５２）と、
前記マイクロフォン（５２）から前記音を受信して、前記マイクロフォン（５２）からの前記音及び１組の前もって決められた騒音軽減伝達関数に基づいて騒音消除信号を送信するように構成された制御ボード（５０）と、
前記騒音消除信号に対応して、プレート又はアレイ状のプレートを揺すって、前記燃焼排出部の中に騒音消除音を作り出すように構成された複数のシェーカ（４９）と、を含む、システム。
【請求項１８】
前記シェーカ（４９）は、シェーカロッド（６９）を介して前記プレートに取り付けられる、請求項１７記載のシステム。
【請求項１９】
前記マイクロフォン（５２）及び前記プレートは、摂氏略２５０度よりも高い温度で動作するように構成される、請求項１７記載のシステム。
【請求項２０】
前記制御ボード（５０）は、前記燃焼排出部の中の前記ＡＮＣモジュールユニット（３０）の場所用の前記伝達関数の中にプログラムされた場所特有の特徴に基づいて前記騒音消除信号を制御するように構成される、請求項１７記載のシステム。
【発明の詳細な説明】
【技術分野】
【０００１】
本明細書に開示した主題は、産業機械システムで使用するための能動騒音制御に関する。
【背景技術】
【０００２】
タービンエンジンや他の燃焼エンジンを採用するものなどの発電所は、機器のハウジング内部で騒音を過剰に発生させることがよくある。吸い込みダクトと排出ダクトは、空気／ガスと騒音を内部の作動域からハウジング外部に運ぶ。残念ながら、発電所は、音響レベルが制限されるか又は望ましくない区域内に配置されることがある。この状況では、騒音制御が望まれている。
【先行技術文献】
【特許文献】
【０００３】
【特許文献１】国際公開第００／０５４８９号
【発明の概要】
【０００４】
最初に権利請求した発明と釣り合いの取れる範囲の或る種の実施形態については、下に要約している。これらの実施形態は、権利請求した発明の範囲に限定することを意図しておらず、寧ろ、これらの実施形態は、本発明の可能性ある様態の簡潔な要点を提供することだけを意図している。実際、本発明は、下に記載する実施形態と類似又は相違し得る様々な様態を網羅することができる。
【０００５】
第１の実施態様では、システムは、発電ユニットの吸い込み部又は排出部の内部に設置されるように構成された能動騒音制御（ＡＮＣ）モジュールユニットを含み、ＡＮＣモジュールユニットは、空気吸い込み部又は排出部の内部に適合するために形状付けされたＡＮＣハウジングと、ＡＮＣハウジングの内部に固定されるように構成されたＡＮＣコアと、を含み、ＡＮＣコアは、発電ユニットによって生じる音を検出するように構成されたマイクロフォンと、マイクロフォンからの音響信号及び１組の前もって決められた騒音軽減伝達関数に基づいて騒音消除音（ｎｏｉｓｅ−ｃａｎｃｅｌｉｎｇ  ｓｏｕｎｄ）を制御するように構成された制御ボードと、第１の騒音消除音を空気吸い込み部又は排出部に送達するように構成された第１のスピーカと、を含む。
【０００６】
第２の実施形態では、システムは、発電ユニットの内部で使用するための吸い込み部又は排出部を含み、複数のＡＮＣモジュールユニットを含み、各ＡＮＣモジュールユニットは、空気吸い込み部又は排出部の内部に適合するために形状付けされたＡＮＣハウジングと、ＡＮＣハウジングの内部に固定されるように構成されたＡＮＣコアと、を含み、ＡＮＣコアは、発電ユニットによって生じる音を検出するように構成されたマイクロフォンと、騒音消除音を空気吸い込み部又は排出部に送達するように構成されたスピーカと、複数の入力用の前もって決められた伝達関数を含むと共に、複数のＡＮＣモジュールユニットのマイクロフォンから受信する音響信号に基づいて複数のＡＮＣモジュールユニットにおいてＡＮＣモジュールユニットからの騒音消除音を制御するように構成された制御ボードと、を含む。
【０００７】
第３の実施形態では、システムは、発電ユニットの燃焼排出部の内部で使用するためのＡＮＣモジュールユニットを含み、ＡＮＣモジュールユニットは、発電ユニットの燃焼排出部の内部で生じる音を検出するように構成されたマイクロフォンと、マイクロフォンから音響信号を受信して、マイクロフォンからの音響信号及び１組の前もって決められた騒音軽減伝達関数に基づいて騒音消除信号（ｎｏｉｓｅ−ｃａｎｃｅｌｉｎｇ  ｓｉｇｎａｌ）を送信するように構成された制御ボードと、騒音消除信号に対応して、プレート又はアレイ状のプレートを揺すって、燃焼排出ダクト又はスタックの中に騒音消除音を作り出すように構成された複数のシェーカと、を含む。
【０００８】
本発明のこれらや他の特徴、態様、及び利点については、図面全体にわたって同様の符号が同様の部品を指す添付の図面を参照して、以下の詳細な説明が解釈されるとき、より良く理解されるであろう。
【図面の簡単な説明】
【０００９】
【図１】能動騒音制御（ＡＮＣ）モジュールユニットを利用するガスタービンエンジンシステムの実施形態の概略図である。
【図２】図１のガスタービンエンジンシステムのＡＮＣモジュールユニットの実施形態の断面側面図である。
【図３】図１のガスタービンエンジンシステムの空気吸い込み部の実施形態の斜視図である。
【図４】図１のガスタービンエンジンシステムの空気吸い込み部でＡＮＣモジュールユニットを採用しているダクトの実施形態の斜視図である。
【図５】図１のガスタービンエンジンシステムのダクト内部の流れ経路の中に設置されたＡＮＣモジュールユニットの実施形態の断面図である。
【図６】図１のガスタービンエンジンシステムの燃焼排出スタックの中に設置されたＡＮＣモジュールユニットの実施形態の断面図である。
【図７】図１のガスタービンエンジンシステムのＡＮＣモジュールユニットによって使用され得る方法のフローチャートである。
【発明を実施するための形態】
【００１０】
本発明の１つ又は複数の特定の実施形態については、下で説明する。これらの実施形態を簡潔に説明することを目指して、現実の実施における特徴についてすべては本明細書に説明していないことがある。理解すべきことは、任意のそういった現実の実施の展開において、任意の工学や設計のプロジェクトにおけると同様に、実施によって異なり得るシステム関連やビジネス関連の制約について遵守するなどの開発者の具体的目標を達成するために、実施に特有の決断を数多く行わなければならない、ということである。更に、理解すべきことは、そういった展開の努力が、複雑且つ時間の要することがあるが、それでも本開示の恩恵を受ける当業者にとっては、日常業務的な設計、製作、及び製造の仕事になるであろう、ということである。
【００１１】
本発明の様々な実施形態の要素を紹介するときに、冠詞「１つの（ａ）」、「１つの（ａｎ）」、「その（ｔｈｅ）」、及び「前記（ｓａｉｄ）」は、その要素が１つ又は複数存在することを意味するように意図している。用語「含む（ｃｏｍｐｒｉｓｉｎｇ）」、「含む（ｉｎｃｌｕｄｉｎｇ）」、及び「有する（ｈａｖｉｎｇ）」は、包括的であることを意図しており、また、列挙した要素以外の追加の要素が存在してもよいことを意味している。
【００１２】
本開示の実施形態は、騒音を発生させる産業プロセスを実行するシステムで使用し得る能動騒音制御（ＡＮＣ）モジュールユニットを含む。ＡＮＣモジュールユニットは、例えば、システムのダクトの外側開口を出て行く騒音を減衰又は軽減させる。吸収性の繊維充填バッフル又はダクトワークなどの受動騒音防止システムだけを使用するというより寧ろ、ＡＮＣモジュールユニットは、エンジン及び機器によって生じる音と位相が異なる音を発生させるスピーカや他の音響デバイスを採用している。これは、騒音のレベルを消除又は軽減するように機能することがあり、そういうことで、システムは、集合的により静かになる。ＡＮＣモジュールユニットは、スペースとダクト圧力損失の観点から騒音を効果的に軽減するように個別的又は集合的に機能することがある。
【００１３】
実施形態によっては、各モジュールユニットは、予めプログラムされて、各ＡＮＣモジュールユニットの制御ボード上に定義済みであるシステムの場所特有の特徴に従って騒音に対応する。したがって、ＡＮＣモジュールユニットは、誤差マイクロフォンを使用することなく騒音を消除又は軽減することができる。システムは、ＡＮＣモジュールユニットを幾つか含んでいてもよい。ＡＮＣモジュールユニットの組み合わせは、広い周波数範囲に渡って効果的な騒音の消除又は軽減をもたらす。
【００１４】
図１は、下で詳細に説明するように、ＡＮＣモジュールユニットを採用し得るガスタービンエンジン１２を含む例示的なシステム１０のブロック図である。特定の実施形態では、システム１０は、航空機、ウォータクラフト、機関車、又はそれらの組み合わせを含むことがある。ＡＮＣモジュールユニットは、蒸気タービンユニット、燃焼発電ユニット、産業プロセスユニット、圧縮機、動力駆動ユニット、又は他のものなどの他の発電ユニットにおいて採用されることもある。ガスタービンエンジン１２は、建物の壁やエンクロージャ２の内部に含められる。エンクロージャ２は、ガスタービンエンジン１２を外部の材料及び力からシールド及び保護すると共に、タービンケーシング及びエンクロージャ内部の他の支持用構成要素の周りに空気を導く。エンクロージャ２は、吸い込みベント４及び排出ベント６を含む。吸い込みベント４及び排出ベント６の個々は、多数のベント及び／又は場所を含んでいてもよく、そこでは空気や他のガスがエンクロージャ２の内及び外に運ばれる。追加的に、吸い込みベント及び排出ベント６は、ガスタービンエンジン１２の中又は周りで使用される空気を浄化するためのフィルタ、バッフル、及び／又は処理システムを含んでいてもよい。
【００１５】
図示したガスタービンエンジン１２は、エンクロージャ２の吸い込みベント４の一部として燃焼空気吸い込みセクション１６及び換気吸い込みセクション１７を含む。燃焼吸い込みセクション１６は、空気をガスタービンエンジン１２に向け、それに対して、換気吸い込みセクション１７は、例えば、ガスタービンエンジン１２の構成要素を冷却するために、空気をガスタービンエンジン１２の周りに向ける。ガスタービンエンジン１２は、圧縮機１８、燃焼器セクション２０、タービン２２、及び排出セクション２４も含む。タービン２２は、シャフト２６を介して圧縮機１８に結合される。矢印で示すように、空気は、吸い込みセクション１６を通ってガスタービンエンジン１２に入って、圧縮機１８の中を流れることができ、燃焼器セクション２０の中に入る前に空気が圧縮される。圧縮機１８からの圧縮空気は、燃焼器２７に入り、そこでは、圧縮空気が燃焼器２７の内部で燃料と混合及び燃焼して、タービン２２を駆動する。図示した燃焼器セクション２０は、圧縮機１８とタービン２２の間でシャフト２６に関して同心状又は環状に配設される燃焼器ハウジング２８を含む。
【００１６】
燃焼器セクション２０から、高温の燃焼ガスが、タービン２２を通って流れて、シャフト２６を介して圧縮機１８を駆動する。例えば、燃焼ガスは、シャフト２６を駆動するためにタービン２２の内部のタービンロータブレードに原動力を加えることができる。タービン２２を通過後、高温の燃焼ガスは、排出セクション２４の内部の一連のダクト１９を通ってガスタービンエンジン１２から出ることができる。そのうえ、下で説明するように、燃焼吸い込みセクション１６、換気吸い込みセクション１７、燃焼排出セクション２４、及び換気排出セクション２５の個々は、ダクト２９を含むことがある。燃焼ガスは、とりわけ蒸気タービン、熱移動システム、及び排出処理システムなどの追加のシステムを幾つか通過することがある。追加的に、ガスタービンエンジン１２から下流であるように図示されているが、排出セクション２４は、他の実施形態では、任意の他の騒音源即ち燃焼システムの後ろに配置されてもよい。ガスタービンエンジン１２は、ここではシステム１０の一例であり、高温の燃焼ガスが、システム１０の内部で採用される比較的高い温度のせいで、設計の制約をもたらすことがある。そのうえ、排出セクション２４及びダクト２９は、騒音源（例えば、ガスタービンエンジン１２）から下流にあるように説明されることがあり、それは騒音源とシステム１０の出口の間を意味する。即ち、「下流（ｄｏｗｎｓｔｒｅａｍ）」は、下で言及する際、空気流（例えば、燃焼吸い込みセクション１６又は換気吸い込みセクション１７の中の）が音の進行方向に反対に流れていても、騒音源に関して説明される。
【００１７】
理解され得るように、空気と燃料の混合物の燃焼は、過剰な騒音を作り出すことがある。おまけに、圧縮機セクション１８によって生じる騒音は、吸い込みベント４及び排出ベント６を通過する。システム１０によって作り出される騒音に対抗するために、燃焼吸い込みセクション１６、換気吸い込みセクション１７、燃焼排出セクション２４、及び換気排出セクション２５の個々は、ＡＮＣモジュールユニット３０を含むことができる。各セクションについてのＡＮＣモジュールユニット３０は、その場所の明細に同調させることができる。即ち、下で図面に関して詳細に解説しているように、セクション（例えば、燃焼吸い込みセクション１６、換気吸い込みセクション１７、燃焼排出セクション２４、及び換気排出セクション２５）の個々は、その特定の領域における騒音の制御／消除の性能を改善する材料及び構成を含むことができる。ＡＮＣモジュールユニット３０は、セクションの中を進行するシステム１０によって作り出される音と位相が反対である音を作り出すことができ、したがって、セクションの出口から発散する音を消除及び減衰させる。セクションを出て行く音の特定のサインは、とりわけダクト２９の幾何学、ＡＮＣモジュールユニット３０の場所、セクションを通過するガスの物理的特性（例えば、温度、圧力）を含めて、幾つかの場所特有の特徴に依存することがある。これらの場所特有の特徴は、伝達関数にまとめることができ、１つ又は複数のＡＮＣモジュールユニット３０に組み込むことができる。
【００１８】
図２は、吸い込みベント４の内部で使用し得るＡＮＣモジュールユニット３０の実施形態の断面側面図である。ＡＮＣモジュールユニット３０は、中心コーン３６によって相互に連結されるＡＮＣハウジング３２及び分流器３４（即ち、フィルタ媒体又はフィルタカートリッジ若しくはフィルタキャニスタ）を含む。中心コーン３６は、エンクロージャ２の吸い込みベント４のダクト２９（例えば、燃焼吸い込みセクション１６又は換気吸い込みセクション１７）の内部にＡＮＣモジュールユニット３０を実装するために使用することもできる。典型的には、図２の中間ストリーム型（ｍｉｄ−ｓｔｒｅａｍ）ＡＮＣモジュールユニット３０は、燃焼吸い込みセクション１６又は換気吸い込みセクション１７の流れ経路の内部に大部分が実装でき、それらの領域では流れ経路内の空気が比較的冷たい。より冷たい空気／ガスは、燃焼吸い込みセクション１６又は換気吸い込みセクション１７が、分流器３４及びＡＮＣハウジング３２の中又は周りに空気／ガスが流れる流れ経路を含むことを可能にする。
【００１９】
ＡＮＣモジュールユニット３０が配置される流れ経路の場所特有の制約は、分流器３４（即ち、フィルタ媒体又はフィルタカートリッジ若しくはフィルタキャニスタ）及びＡＮＣハウジング３２の形状及び／又は場所を決定する。分流器３４（即ち、フィルタ媒体又はフィルタカートリッジ若しくはフィルタキャニスタ）及び／又はＡＮＣハウジング３２は、図２に示すように、円筒形状を有する。追加的及び／又は代替的に、各分流器３４及びＡＮＣハウジング３２は、他の形状（例えば、矩形、扁平、正方形、三角形、六角形、又はその他）に作製することができ、ＡＮＣモジュールユニット３０が、システム１０内部の特定の場所に適合することができ、或いは、最適な流れ状態を提供することができる。即ち、ＡＮＣハウジング３２の形状は、空気／ガスに影響を及ぼして最小の音響学的乱流をもって流れるように形状付けすることができる。ＡＮＣモジュールユニット３０の場所は、システム１０の内部の利用可能なスペースによって影響を及ぼされることがある。即ち、ＡＮＣモジュールユニット３０は、システム１０の他の構成要素が欠けている領域に制約されることがあり、スペースの形状は、ＡＮＣハウジング３２及び分流器３４のそうであるべき形状を決定することがある。追加的に、ＡＮＣモジュールユニット３０によって作り出される騒音制御量は、位置によって様々であることがあり、ＡＮＣモジュールユニット３０の場所は、この騒音制御のための可能性に基づいて影響を及ぼされることがある。
【００２０】
分流器３４（即ち、フィルタ媒体又はフィルタカートリッジ若しくはフィルタキャニスタ）及びＡＮＣハウジング３２に加えて、図２のＡＮＣモジュールユニット３０は、ＡＮＣコア４４を含み、それはフォーム被覆されることがあり、騒音制御／消除に役立つ追加の構成要素を固定する。ＡＮＣコア４４は、下で詳細に説明するように、音をキャプチャしてＡＮＣモジュールユニット３０からの騒音消除音を送達するための電子部品を含む。ＡＮＣコア４４は、導波路４６によって内側領域４２に対して内部的に実装されるフォーム構造を含むこともあり、また、最適な流れ状態を提供する三角形、実質上正方形、矩形、六角形、又は八角形の幾何学を含むことがある。即ち、ＡＮＣコア４４の形状は、空気／ガスに影響を及ぼして最小の音響学的乱流をもって流れるように形状付けすることができる。図示したように、導波路４６は、ＡＮＣモジュールユニット３０を通る空気流の衝撃を最小化する薄いアタッチメントを介して、ＡＮＣハウジング３２の内側部分４０にＡＮＣコア４４を固定することができる。他の実施形態では、導波路４６は、より長くする又はフィン様にすることができ、したがって、ＡＮＣハウジング３２を通る流れ経路が、多数の離散領域に分割される。例えば、ＡＮＣハウジング３２は、２、３、４、５、６、７、８以上の離散領域に分割されることがある。各離散領域は、特定の調性騒音又は騒音周波数の範囲を制御又は軽減するために寸法決めされることがある。例えば、より多い数の導波路４６に対応するより小さい離散領域は、より高い周波数範囲における調性騒音を軽減することがある。
【００２１】
図２のＡＮＣコア４４は、音を制御又は軽減するために１つ又は複数の場所に実装される１つ又は複数のスピーカ４８を含む。図示したように、スピーカ４８は、ＡＮＣモジュールユニット３０の前方端部３８の近くに位置することがある。前方端部３８は、実施形態によっては、そこから空気がＡＮＣモジュールユニット３０に入って音が出て行く場所にすることができる。即ち、特定の実施形態では、音は、空気流と反対の方向に進むことがある。例えば、図２では、空気の流れは、図の左から右にすることができ、それに対して、音は、その逆に図２の右から左に進むことができる。特定の例では、空気の流れは、空気の通過を可能にする、例えば、メッシュ材料又は任意の他の材料で構成され得る分流器３４を通してＡＮＣモジュールユニット３０を半径方向に通り越すことがある。上で述べたように、ＡＮＣコア４４は、ＡＮＣハウジング３２を離散領域に分割する導波路４６を含むことがある。例えば、ＡＮＣハウジング３２を分割する離散領域が、２、３、４、５、６、７、８以上存在することがある。各離散領域は、図２に図示した前方スピーカ４８の代わりに、或いはそれに加えて、分離型スピーカ４８を含むことがある。分離型スピーカ４８は、同一の音を作り出すことができ、或いは、吸い込みベント４の内部の騒音の特定の副次的部分に焦点を合わせる信号を個別に付与することができる。例えば、ＡＮＣモジュールユニット３０の１つの離散領域内に位置決めされるスピーカ４８は、１つの周波数範囲の音を制御又は軽減することができ、それに対して、ＡＮＣモジュールユニット３０の異なった離散領域内に位置決めされる異なったスピーカ４８は、異なった周波数範囲の音を制御又は軽減する。
【００２２】
ＡＮＣコア４４のスピーカ４８によって作り出される音は、ＡＮＣコア４４の一部でもある制御ボード５０によって決定される。音は、略５０Ｈｚから略４０００Ｈｚの間のエンジン１２によって生じる音を制御又は軽減するために作り出されることがある。しかしながら、他の実施形態では、作り出された音は、略５０００Ｈｚ、略６０００Ｈｚ、略７０００Ｈｚ、略８０００Ｈｚ以上までの周波数でエンジン１２によって生じる音を制御又は軽減することがある。下で詳細に説明しているように、制御ボード５０は、多数の範囲からの音を制御又は軽減する多数のスピーカ４８に騒音消除信号を送ることができる。制御ボード５０は、消除されるべき音に基づく要求通りに、例えば、１入力１出力（ＳＩＳＯ）、１入力複数出力（ＳＩＭＯ）、複数入力１出力（ＭＩＳＯ）、又は複数入力複数出力（ＭＩＭＯ）のセットアップを含むことがある。
【００２３】
異なったモジュール、異なった部品を制御すること、場所、及び／又は、フィルタハウスのシステムは、異なった周波数範囲に焦点を合わせることのできる異なった伝達関数を使用することがある。例えば、換気部分音伝達関数及びＡＮＣダクトシステム設計は、一方向で低い−中間の周波数について最適化することができ、それに対して、燃焼部分は、燃焼エンジン騒音について、低い及び中間の周波数範囲で、また、空気入口圧縮機ブレード通過周波数及びハーモニクス（ａｉｒ  ｉｎｌｅｔ  ｃｏｍｐｒｅｓｓｏｒ  ｂｌａｄｅ−ｐａｓｓ  ｆｒｅｑｕｅｎｃｉｅｓ  ａｎｄ  ｈａｒｍｏｎｉｃｓ）などの特定の高い周波数範囲で最適化することができる。制御ボード５０は、ＡＮＣモジュールユニット３０の場所特有の特徴及び設置した場所（例えば、吸い込みベント４、燃焼吸い込みセクション１６、換気吸い込みセクション１７など）に従って前もって決められた永久又は一時メモリ（即ち、ＲＯＭ又はＲＡＭメモリ）上にデジタルで記憶することのできる伝達関数を用いてプログラムされる。例えば、場所特有の特徴は、ダクト２９の幾何学的な配置、ＡＮＣモジュールユニット３０の位置、又は周囲の材料（例えば、ダクト２９、エンジン１２など）の残響に関する可能性を含むことがある。
【００２４】
スピーカ４８に送達するための音響信号を決定するために、制御ボード５０は、マイクロフォン５２から音響信号を受け取るが、ＡＮＣモジュールユニット３０の下流で音を検出するための誤差マイクロフォンを含まない。図２に図示するように、マイクロフォン５２は、ＡＮＣコア４４上に配置され得るが、マイクロフォン５２は、スピーカ４８とマイクロフォン５２の間の良好な同期と通信が存在する限り、分流器３４上に配置することもできる。スピーカ４８、制御ボード５０、及びマイクロフォン５２は、構成要素（即ち、スピーカ４８、制御ボード５０、及びマイクロフォン５２）が同じ構造的な構成要素上に全て位置するかいずれにしても、ＡＮＣコア４４として集合的に指定することができる。しかしながら、他の実施形態では、１つ又は複数のスピーカ４８、制御ボード５０、及びマイクロフォン５２は、１つ又は複数のスピーカ４８、制御ボード５０、及びマイクロフォン５２を備えた物理的に区別可能な場所（例えば、共通のエンクロージャの部分でない）の中にあることがある。追加的に、ＡＮＣモジュールユニット３０は、吸い込みベント４の内部の複数の場所から騒音を検出して運ぶために複数のマイクロフォン５２を含むことがある。ＡＮＣモジュールユニット３０は、そういうことで、複数のマイクロフォン５２からの適切な信号を用いて騒音消除音を適切な場所に効果的に送達するために位置決めすることができる。それ故に、システム１０は、全体として、発泡体やバッフルなどの大規模な受動騒音減衰に依存することなく、より静かである。
【００２５】
図３は、図１のガスタービンエンジンシステム１０の吸い込みベント４の実施形態の斜視図である。吸い込みベント４は、図１に示すように燃焼吸い込みセクション１６及び換気吸い込みセクション１７を含む。図３に図示したように、吸い込みベント４は、幾つかの流れ経路穴５５を有する４つの区画５３（この実施形態では３つの区画で構成される燃焼用の大きなセクションと、換気用の１つの区画を備えた小さなセクション）を含む。１つ又は複数の流れ経路穴５５は、上で説明したＡＮＣモジュールユニット３０のうちの１つを含むことがある。各流れ経路穴５５は、空気／ガス用の通路を代表することもあり、通路は、下で説明するように、通路に隣接して位置決めされたＡＮＣモジュールユニット３０のうちの１つを含む。いずれの場合でも、騒音は、騒音源から伝搬して、吸い込みベント４の内部から、ＡＮＣモジュールユニット３０の個々のマイクロフォン５２に、次いで、スピーカ４８に、となる。ＡＮＣモジュールユニット３０のスピーカ４８は、制御ボード５０上に記憶された伝達関数に基づいて、マイクロフォン５２によって検出された騒音を制御又は軽減するために音を作り出す。
【００２６】
区画５３内部の各位置に関連した場所特有の特徴は、ＡＮＣモジュールユニット３０の個々の制御ボード５０の内部に記憶された伝達関数に貢献する。例えば、１つの位置（例えば、区画５３の周囲の流れ経路穴５５のうちの１つ）のＡＮＣモジュールユニット３０は、１つの周波数範囲（例えば、１００Ｈｚ〜１５００Ｈｚ又は１００Ｈｚ〜２０００Ｈｚ）の騒音を制御するために対応することができ、その一方、異なった位置（例えば、区画５３の中心の流れ経路穴５５のうちの１つ）のＡＮＣモジュールユニット３０は、異なった周波数範囲（例えば、１５００Ｈｚ〜３０００Ｈｚ又は１０００Ｈｚ〜３０００Ｈｚ）の騒音を制御するために対応することができる。追加のＡＮＣモジュールユニット３０は、各個々のＡＮＣモジュールユニット３０の周波数範囲をより狭くするために結合することができる。例えば、周波数範囲は、３つの異なったＡＮＣモジュールユニット３０に関して、略１００Ｈｚ〜１０６６Ｈｚ、略１０６６Ｈｚ〜２０３３Ｈｚ、及び略２０３３Ｈｚ〜３０００Ｈｚを含むことがある。理解され得ることは、周波数範囲の他の分割についても予想されるということである。そのうえ、ＡＮＣモジュールユニット３０は、制御又は軽減される周波数を重ね合わせることができる。そういうことで、場所特有の特徴の特定の組に関して、吸い込みベント４は、全体として、システム１０のエンクロージャ２の内部から発散する騒音を効果的に制御又は軽減することができる。
【００２７】
区画５３と区画５３内部の流れ経路穴５５の寸法及び数は、音の制御及び軽減を改善するために調整することができる。図示した実施形態では、各区画は、約２０の吸い込み流れ経路穴５５を含み、それらを通して、空気がフィルタ濾過及び／又はエンクロージャ２の内部セクションに送達される。燃焼吸い込みセクション１６及び換気吸い込みセクション１７は、寸法の点で同様にできる、即ち、個々が等しい数の区画５３を含む。他の実施形態では、燃焼吸い込みセクション１６は、換気吸い込みセクション１７より大きく又は小さくすることができる。例えば、燃焼吸い込みセクション１６は、吸い込みベント４の４つの区画５３のうちの３つ、或いは、吸い込みベント４の４つの区画５３のうちの１つを含むことができる。
【００２８】
図４は、図１のシステム１０の吸い込みベント４の内部にＡＮＣモジュールユニット３０及び３１を採用するダクト２９の実施形態の斜視図である。図４のダクト２９は、図３に図示した吸い込み流れ経路穴５５を代表することができ、或いは、システム１０のエンクロージャ２の内部の他の場所に位置することができる。ＡＮＣモジュールユニット３０は、図示したように、分割されており、したがって、各ＡＮＣモジュールユニット３０のマイクロフォン５２は、側部５４に位置決めされ、スピーカ４８は、ダクト２９の底部５６に位置決めされる。空気流は、表面６０を通じてダクト２９に入るであろうし、側部６０は、側部５４とちょうど反対であり、その中にＡＮＣモジュールユニット３０及び３１が実装される空気フィルタを通過する。多数のＡＮＣモジュールユニット３０を位置決めすることは、入口空気がダクト２９を通過するので、より正確で効率的な騒音の消除を可能にすることがある。追加的に、ＡＮＣモジュールユニット３０の異なった位置（例えば、側部５４と底部５６）は、全体的な騒音消除においてより効果的であることがある。図示した実施形態に加えて、他の構成も同じく採用することができる。
【００２９】
１組のＡＮＣモジュールユニット３０、３１の追加の特徴として、多数のＡＮＣモジュールユニット３０がダクト２９の中に設置されるとき、多数のスピーカ４８は、特定のスピーカ４８の出力を決定するために、単一の制御ボード５０に依存することがある。即ち、ＡＮＣモジュールユニット３０及び３１からのマイクロフォン５２は、共に音響信号を単一の制御ボード５０に送信することがあり、２つの騒音消除信号がスピーカ４８に送信される。制御ボード５０は、ＡＮＣモジュールユニット３０及び３１の各スピーカ４８に関して別個の伝達関数を含むことがあり、或いは、それに連結されているスピーカ４８の個々に関して同じ伝達関数を採用することがある。即ち、制御ボード５０の中にプログラムされた前もって決められた伝達関数は、２つのマイクロフォン５２（ダクト２９の側部５４のＡＮＣモジュールユニット３０及び３１の中の）からの信号を操作して、２つの異なったスピーカ４８に関する信号を作り出すために、プログラムされることがある。
【００３０】
図５は、図１の燃焼吸い込みセクション１６又は換気吸い込みセクション１７の内部の流れ経路６２（即ち、ダクト又は移行部）に設置されたＡＮＣモジュールユニット３０の実施形態の断面図である。この図５に示した構成は、換気排出セクション２５において使用することもできるが、しかしながら、留意すべきことは、ベント排出の場合では、空気流並びに騒音は、同じ方向に移動し、したがって、この構成では、マイクロフォンは、バッフル実施形態の上流（左）側にあるであろうし、スピーカは、実施形態の右側にあるであろう、ということである。
【００３１】
ＡＮＣモジュールユニット３０は、流れ経路６２の内部のＡＮＣハウジング３２上に実装されたマイクロフォン５２を含む。図５の図示した実施形態では、ＡＮＣハウジング３２は、ＡＮＣコア４４（即ち、スピーカ４８、制御ボード５０、及びマイクロフォン５２）の個々を囲んでいる。他の実施形態では、ＡＮＣコア４４の１つ又は複数の構成要素は、遠くに位置して、流れ経路６２の内部の構成要素に電子的に連結されることがある。ＡＮＣモジュールユニット３０の内部では、スピーカ４８がＡＮＣハウジング３２の内側に実装されて、流れ経路６２の方を指している。図５に図示した実施形態では、２つのスピーカが、ＡＮＣモジュールユニット３０の内側側部に実装されて、流れ経路６２の中に音が伝達される。ＡＮＣモジュールユニット３０は、ＡＮＣの提供するものよりもより広い周波数範囲をカバーするために、及び／又は、ＡＮＣの提供する減衰を補足するために、他の不織布繊維充填音響スプリッタバッフルに類似する受動の消散的なサイレンシングを提供するように設計される部分やセクションを含むこともある。他の実施形態では、スピーカ４８は、他の場所に位置決めされることがあり、より多くのスピーカを含むことがある。例えば、ＡＮＣモジュールユニット３０は、ダクトの中を伝搬する音を消除するために、３、４、５、１０以上のスピーカを含むことがある。図４のＡＮＣモジュールユニット３０の利点は、燃焼吸い込みセクション１６又は換気吸い込みセクション１７のダクト２９の中間に設置する能力を含む。例えば、ダクト２９の中間の内部にＡＮＣモジュールユニット３０を位置決めする能力により、ダクト２９のセクションは、例えば、ダクト２９の側壁がＡＮＣモジュールユニット３０を支持することのできない状況やダクト２９の側壁がＡＮＣモジュールユニット３０の配置を妨げる他の構造体に隣接する状況において、利用することができる。図５のＡＮＣモジュールユニットの構成は、空気流及び音響経路をより小さいチャネルに細分化するために、複数の類似又は同一のＡＮＣモジュールの使用を可能にもして、消散的な技術（不織布繊維充填バッフルセクション、穿孔シート）並びにより効果的に作動するためのシステムのＡＮＣ部分の双方を可能にする。追加的に、これらのシステムは、２つ以上のグループに配置することができ、各グループは、並列又は直列の様式で配置されたＡＮＣモジュールを有し、より大きな減衰が達成される、及び／又は、グループ毎の特定の周波数範囲に焦点が合わせられる。
【００３２】
図６は、図１のガスタービンエンジンシステム１０の燃焼排出セクション２４の中に設置されたＡＮＣモジュールユニットの実施形態の断面図である。同じようなシステムは、ガスタービンエンジンシステム１０の換気排出セクション２５の内部に設置されることがある。燃焼排出セクション２４は、ガスタービンエンジンシステム１０の他のセクションから通って流れる流れ経路６２を存続させる。燃焼排出セクション２４では、流れ経路６２の空気／ガスは、燃焼器２７内の燃焼とタービン２２の流れ経路のおかげで高い温度になっている。流れ経路６２に沿って進む燃焼ガスは、燃焼排出セクション２４の排出スタック６４に入り、上に向かって、そしてスタックの外に運ばれる。システム１０からの音も、流れ経路６２に沿って外に進み、排出スタック６４の側部に位置決めされたマイクロフォン５２によって検出される。
【００３３】
マイクロフォン５２は、ＡＮＣモジュールユニット３０の一部であり、燃焼排出セクション２４の排出スタック６４の内部で音を制御及び消除する。マイクロフォン５２は、排出スタック６４の内部で高温に耐えるために耐熱材料で構成することができ、或いは、音をスタックから温度保護環境中のスタック外部に位置するマイクロフォン組立体に伝えるための導波路として機能することができる。追加的に、マイクロフォン５２は、マイクロフォン５２から音響信号を伝達するワイヤ６６によって制御ボード５０に連結することができる。これにより、制御ボード５０は、排出スタック６４から遠くに、その中の高い温度から遠くに隔てて配置することができる。
【００３４】
制御ボード５０は、マイクロフォン５２からの音響信号を処理して、騒音消除信号をシェーカ４９又はシェーカ４９の組に伝達して、排出スタック６４の内部の音を制御又は消除する。マイクロフォン５２からの信号は、燃焼排出セクション２４及び排出スタック６４の場所特有の特徴に基づいている伝達関数で実行される。特徴は、排出スタック６４を通過する燃焼ガスの温度及び／又は速度、排出スタック若しくは排出スタック６４の他の幾何学的特徴部の長さ、マイクロフォン５２及びシェーカ４９の相対位置、シェーカ４９の数などを含むことがある。ＡＮＣモジュールユニット３０の制御ボード５０は、次いで騒音消除信号をＡＮＣモジュールユニット３０に関連するシェーカ４９又はシェーカ４９のグループに伝達する。シェーカ４９は、内部の振動パネルをシェーカ４９に連結するための連結ロッドを用いてスタック表面に外部から設置することができ、排出流れ経路（即ち、スタック）の内部に存在し得る高温状態にシェーカドライバを晒すことなく、パネルの音響上の駆動が可能である。
【００３５】
図示した実施形態では、ＡＮＣモジュールユニット３０は、ワイヤ６６によって制御ボード５０に連結されるグループの６つのシェーカ４９を含む。シェーカ４９は、伝統的なダイヤフラム（排出ダクト６４内部の高温のせいで悪化することのある）を含んでいないが、代わりに、シェーカロッド６９によってプレート６８に連結される。プレート６８は、排出スタック６４の内部で振動して、流れ経路６２に沿って上流の音を制御及び／又は消除する音を作り出す。プレート６８は、シェーカ４９のシェーカロッド６９に剛性結合され、制御ボード５０からの信号に基づいて音を作り出すために個別に又はグループとして制御することができる。追加的に、各シェーカ４９及びシェーカロッド６９は、個別プレート６８に結合できる。即ち、図６の図示した実施形態は、６つのプレート６８を含むことができ、１つが各個別のシェーカ４９及びシェーカロッド６９のためである。そのうえ、排出スタック６４は、各プレート６８（図６に図示した実施形態では計３つのプレート６８）のために２つのシェーカ４９を、或いは、各プレート６８（図６に図示した実施形態では計２つのプレート６８）のために３つのシェーカ４９を、含むことができる。
【００３６】
図７は、騒音源からの音を制御するために図１のＡＮＣモジュールユニット３０によって使用され得る方法７０のフローチャートである。方法７０は、マイクロフォン５２で騒音源からの音を受信すること７２を含む。騒音源は、図１に関して上で説明したガスタービンエンジン１２であることがあり、或いは、過剰な騒音及び／又は音を作り出す他の産業プロセスであることがある。騒音源は、高温燃焼ガスや、受動発泡体又は不織布繊維充填音響バッフルを用いて減衰させることが困難であることがよくある広範囲の周波数を含むことがよくある。マイクロフォン５２は、騒音の達する任意の場所からの音を受け取ることができる。即ち、マイクロフォン５２は、制御ボード５０又はスピーカ４８から離れた位置に配置することができる。次に、方法７０は、伝達関数を用いて音響信号を処理すること７４を含む。伝達関数は、上で説明したように、ＡＮＣモジュールユニット３０の制御ボード５０の中に包含させることができる。伝達関数は、制御ボード５０の中に永久又は一時メモリ（ＲＯＭｓ又はＲＡＭｓ）によってデジタルで組み込み又は記憶され、そういうことで、音響信号の処理時に誤差マイクロフォンを使用しない。音響信号の処理は、音響信号を、制御ボード５０の中にプログラムしてあった信号のテーブル又はリストと比較することを含むことができる。所与の入ってくる音響信号に関して、伝達関数は、所与の結果を処理する。追加的に、伝達関数は、音響信号中のキー周波数を識別してそれらの信号を遅延、例えば、１８０度位相をずらすアルゴリズムを含むことができる。
【００３７】
方法７０は、騒音消除音をスピーカ４８から発生させること７６も含む。マイクロフォン５２のように、スピーカ４８は、制御ボード５０、マイクロフォン５２、又は双方から離して位置させることができる。図１〜図５に関して上で説明したように、スピーカ４８は、騒音源から下流の音響上有益な様々な位置の範囲内で有利に位置決めすることができる。これにより、ＡＮＣモジュールユニット３０は、システム１０内部の貴重なスペースや容積を奪うことなく、騒音レベルを減衰及び／又は制御することができる。騒音消除信号は、マイックロフォン５２によって受信された音に応答して生じると共に、ＡＮＣモジュールユニット３０の設置されるシステム１０の場所特有の特徴に同調される。実施形態によっては、騒音消除信号は、マイクロフォン５２からの音響信号、伝達関数、及び、マイクロフォン５２やスピーカ４８の場所特有の特徴に単に基づくことがある。場所特有の特徴は、システム１０の幾何学的特徴を含むことがある。例えば、騒音消除信号は、ＡＮＣモジュールユニット３０の設置されるダクト２９の形状に基づくことがある。ダクト２９は、正方形又は丸い形状を有する断面を有することがあり、或いは、一方向が他方向より広くなっていることがある。ダクト２９は、多数の湾曲部と角部を有することがあり、或いは、真っ直ぐである長い伸び部を有することがある。追加的に、ダクト２９は、騒音源から進行するにつれて先細にすることができ、或いは、拡張することができる。これらの幾何学的な特徴の個々は、騒音消除音の伝搬に影響することがあり、騒音消除信号は、それに応じて発生されるであろう。そのうえ、場所特有の特徴は、ＡＮＣモジュールユニット３０の様々な構成要素の場所を含む。例えば、騒音消除信号は、スピーカ４８がダクト２９の側部に位置決めされる場合には、スピーカ４８がダクト２９の中間に位置決めされる場合のそれとは異なって、発生されるであろう。
【００３８】
方法７０は、追加のスピーカ４８／シェーカ４９からの騒音消除音を発生させること７６も含む。ＡＮＣモジュールユニット３０は、幾つかの異なったスピーカ４８／シェーカ４９を含むことがある。スピーカ４８／シェーカ４９は、単一の制御ボードに連結して、単一のマイクロフォンから受信した同じ音響信号に基づいて騒音消除音を発生させることができ、或いは、多数のマイクロフォンから受信した音響信号に基づいて騒音消除音を発生させることができる。そのうえ、伝達関数は、音響信号を処理して、マイクロフォン５２及びスピーカ４８／シェーカ４９の各組み合わせの場所特有の特徴に基づいて各スピーカ４８／シェーカ４９によって別々に発生させることができる。
【００３９】
本発明の技術的な効果は、システム１０及びＡＮＣモジュールユニット３０の場所特有の特徴に対応するために調整されている伝達関数を包含するシステム１０内部にＡＮＣモジュールユニット３０を含むシステム１０を含む。伝達関数は、音がシステム１０を出る前に誤差マイクロフォンを使用することなく、騒音源（例えば、ガスタービンエンジン１２）によって作り出される音の消除を可能にする。ＡＮＣモジュールユニット３０は、そういうことで、スペース及び／又は寸法の制限を有するシステム内部に設置することができる。
【００４０】
ここに記載した説明は、例を用いて、ベストモードを含めて本発明を開示していると共に、任意のデバイスやシステムを作製及び使用することと任意の組み入れた方法を実行することとを含めて任意の当業者が本発明を実施できるようにもしている。特許性を有する本発明の範囲は、特許請求の範囲によって画定され、当業者の想到する他の例を含むことができる。そういった他の例は、特許請求の範囲の文字通りの用語と異ならない構造要素を有する場合に、或いは、特許請求の範囲の文字通りの用語に対する差異の実体がない等価な構造要素を含む場合に、特許請求の範囲の範囲内にあることを意図している。
【符号の説明】
【００４１】
２  エンクロージャ
４  吸い込みベント
６  排出ベント
１０  システム
１２  ガスタービンエンジン
１６  燃焼吸い込みセクション
１７  換気吸い込みセクション
１８  圧縮機
２０  燃焼器セクション
２２  タービン
２４  排出セクション
２５  換気排出セクション
２６  シャフト
２７  燃焼器
２８  燃焼器ハウジング
２９  ダクト
３０  ＡＮＣモジュールユニット
３２  ＡＮＣハウジング
３４  分流器
３６  中心コーン
３８  前方端部
４０  内側部分
４４  ＡＮＣコア
４６  導波路
４８  スピーカ
４９  シェーカ
５０  制御ボード
５２  マイクロフォン
５３  区画
５４  側部
５５  流れ経路穴
５６  底部
６０  表面
６２  流れ経路
６６  ワイヤ
６８  プレート
６９  シェーカロッド
【図１】
2018502249.tif 000003
【図２】
2018502249.tif 000004
【図３】
2018502249.tif 000005
【図４】
2018502249.tif 000006
【図５】
2018502249.tif 000007
【図６】
2018502249.tif 000008
【図７】
2018502249.tif 000009
【国際調査報告】
2018502249.tif 000010
2018502249.tif 000011
2018502249.tif 000012